(57)【要約】【課題】簡易な構成で給気量および排気量を制御できる風量調整装置を提供すること。【解決手段】風量調整装置３０は、一対の筒状のケーシング４１、５１と、これら一対のケーシング４１、５１のそれぞれの内部に回転可能に設けられた羽根４２および羽根５２と、を備え、これら羽根４２および羽根５２の回転軸は、一体に連結された回転軸３２である。本発明によれば、回転軸３２を回転させるだけで、羽根４２および羽根５２の開度を同時に調整できるので、簡易な構成で給気量および排気量を制御できる。簡易な構造であるので、故障の発生を低減できる。また、給気と排気とを一体に制御するので、空調システムの制御に調整が少なくて済むから、円滑な制御が可能となる。【選択図】図２
2012127567.tif 000002
【特許請求の範囲】
【請求項１】
一対の筒状のケーシングと、
当該一対のケーシングのそれぞれの内部に回転可能に設けられた一対のダンパ羽根と、を備え、
当該一対のダンパ羽根の回転軸は、一体に連結されていることを特徴とする風流調整装置。
【請求項２】
前記一対のケーシングのうちの一方の風速を計測する計測手段と、
当該計測手段の計測値に基づいて前記回転軸を回転させる制御手段と、をさらに備えることを特徴とする請求項１に記載の風量調整装置。
【請求項３】
前記一対のケーシングのうちの他方の内部に回転可能に設けられた第２ダンパ羽根と、
当該第２ダンパ羽根の回転軸に連結された調整レバーと、をさらに備えることを特徴とする請求項１または２に記載の風量調整装置。
【発明の詳細な説明】
【技術分野】
【０００１】
本発明は、風量調整装置に関する。詳しくは、ダクトに接続される風量調整装置に関する。
【背景技術】
【０００２】
従来より、対象室を空調する空調システムが知られている。この空調システムは、例えば、空調空気を供給する空調機と、この空調機から対象室に至る給気ダクトと、この給気ダクトの途中に設けられた定風量装置と、排気ファンと、対象室から排気ファンに至る排気ダクトと、この排気ダクトの途中に設けられた可変風量装置と、を備える（特許文献１、２参照）。
この空調システムによれば、空調機を駆動して給気ダクトを通して対象室に空調空気を供給し、排気ファンを駆動して排気ダクトを通して対象室内の空気を排出する。
【０００３】
ここで、定風量装置および可変風量装置は、両端にダクトが接続される筒状のケーシングと、ケーシング内に設けられたダンパ羽根と、このケーシング内の風速を計測する風速センサと、風速センサの計測値に基づいてダンパ羽根の開度を調整する制御装置と、を備える。
定風量装置は、風速センサの計測結果に基づいてダンパ羽根の開度を調整して、風量を一定に保つものである。
これに対し、可変風量装置は、風速センサの計測結果に加えて温度センサなどの計測値に基づいてダンパ羽根の開度を調整し、風量を変化させて、対象室の温度調整を行うものである。
【先行技術文献】
【特許文献】
【０００４】
【特許文献１】特開２０１０−２０８０号公報
【特許文献２】特開２００７−２４７９１２号公報
【発明の概要】
【発明が解決しようとする課題】
【０００５】
しかしながら、上述の構成では、給気側で給気量を制御しつつ、排気側で排気量を制御しており、それぞれの系統で別々に制御しているため、構成が複雑になり、コスト高となる、という問題があった。
【０００６】
本発明は、簡易な構成で給気量および排気量を制御できる風量調整装置を提供することを目的とする。
【課題を解決するための手段】
【０００７】
本発明者は、対象室の給気量と排気量とがほぼ同じである点に着目し、以下の風量調整装置を発明するに至った。
【０００８】
請求項１に記載の風量調整装置は、一対の筒状のケーシングと、当該一対のケーシングのそれぞれの内部に回転可能に設けられた一対のダンパ羽根と、を備え、当該一対のダンパ羽根の回転軸は、一体に連結されていることを特徴とする。
【０００９】
この発明によれば、例えば、一方のケーシングを給気ダクトに接続し、他方のケーシングを排気ダクトに接続する。この状態で回転軸を回転させるだけで、２つのダンパ羽根の開度を同時に調整できるので、簡易な構成で給気量および排気量を制御できる。簡易な構造であるので、故障の発生を低減できる。また、給気と排気とを一体に制御するので、空調システムの制御に調整が少なくて済むから、円滑な制御が可能となる。
【００１０】
請求項２に記載の風量調整装置は、前記一対のケーシングのうちの一方の風速を計測する計測手段と、当該計測手段の計測値に基づいて前記回転軸を回転させる制御手段と、をさらに備えることを特徴とする。
【００１１】
この発明によれば、制御手段により、給気側あるいは排気側の一方のケーシング内の風速に基づいて、給気側および排気側の両方の風量を制御するので、制御装置やケーブルなどの部品点数を削減でき、コストを低減できる。
【００１２】
請求項３に記載の風量調整装置は、前記一対のケーシングのうちの他方の内部に回転可能に設けられた第２ダンパ羽根と、当該第２ダンパ羽根の回転軸に連結された調整レバーと、をさらに備えることを特徴とする。
【００１３】
この発明によれば、調整レバーを操作することで、第２ダンパ羽根の開度を調整して、他方のケーシングに流れる空気量を予め調整しておくことができる。
【発明の効果】
【００１４】
本発明によれば、例えば、一方のケーシングを給気ダクトに接続し、他方のケーシングを排気ダクトに接続する。この状態で回転軸を回転させるだけで、２つのダンパ羽根の開度を同時に調整できるので、簡易な構成で給気量および排気量を制御できる。簡易な構造であるので、故障の発生を低減できるうえに、給気と排気とを一体に制御するので、空調システムの制御に調整が少なくて済むから、円滑な制御が可能となる。
【図面の簡単な説明】
【００１５】
【図１】本発明の一実施形態に係る風量調整装置が適用された空調システムの概略図である。
【図２】前記実施形態に係る風量調整装置の正面図および下面図である。
【図３】前記実施形態に係る風量調整装置の側面図である。
【図４】前記実施形態に係る風量調整装置の動作を説明するための模式図である。
【発明を実施するための形態】
【００１６】
以下、本発明の一実施形態について、図面を参照しながら説明する。
図１は、本発明の一実施形態に係る風量調整装置３０が適用された空調システム１の概略図である。
空調システム１は、２つの対象室２Ａ、２Ｂを空調するものである。対象室２Ａ、２Ｂとしては、一般の事務所のほか、医薬品の製造室や動物の飼育室などにも適用できる。
この空調システム１は、空気を供給する給気ファン１０と、この給気ファン１０から対象室２Ａ、２Ｂに至る給気ダクト１１と、排気ファン２０と、対象室２Ａ、２Ｂから排気ファン２０に至る排気ダクト２１と、これら給気ダクト１１および排気ダクト２１の途中に設けられた２つの風量調整装置３０と、を備える。
【００１７】
この空調システム１によれば、給気ファン１０を駆動して給気ダクト１１を通して対象室２Ａ、２Ｂに空気を供給し、排気ファン２０を駆動して排気ダクト２１を通して対象室２Ａ、２Ｂ内の空気を排出する。
【００１８】
図２は、風量調整装置３０の正面図および下面図である。図３は、風量調整装置３０の側面図である。
風量調整装置３０は、給気ダクト１１に接続される風量制御ダンパ４０と、排気ダクト２１に接続される風量調整ダンパ５０と、風量制御ダンパ４０と風量調整ダンパ５０とを連結する連結部３１と、風量制御ダンパ４０の側面に設けられた計測手段としての計測装置６０および制御手段としての制御装置７０と、風量調整ダンパ５０の側面に設けられた風量調整レバー３４と、を備える。
【００１９】
風量制御ダンパ４０は、筒状のケーシング４１と、このケーシング４１の内部に回転可能に設けられた円形状のダンパ羽根としての羽根４２と、を備える。
羽根４２は、回転軸３２に固定されて、回転軸３２の回転に伴って、所定範囲Ｐの範囲内で開度が変化するようになっている。
【００２０】
風量調整ダンパ５０は、筒状のケーシング５１と、このケーシング５１の内部に回転可能に設けられた円形状の羽根５２と、半円形状の第２ダンパ羽根としての第２羽根５３と、を備える。
羽根５２は、回転軸３２に固定されて、回転軸３２の回転に伴って、所定範囲Ｐの範囲内で開度が変化するようになっている。
第２羽根５３は、回転軸３２と同軸の回転軸３３に固定されており、回転軸３３の回転に伴って、所定範囲Ｑの範囲内で開度が変化するようになっている。
風量調整レバー３４は、回転軸３３に連結されている。
【００２１】
計測装置６０は、風量制御ダンパ４０のケーシング４１の風速を計測するものであり、ケーシング４１の内周に沿って設けられた環状のオリフィス板６１と、このオリフィス板６１の両側に設けられた２つの導圧管６２Ａ、６２Ｂと、これら導圧管内の圧力差に基づいて風速を検出する検出器６３と、を備える。この計測装置６０により、給気ダクト１１に接続されたケーシング４１内の風速を検出する。
【００２２】
図４は、風量調整装置３０の動作を示す模式図である。
制御装置７０は、計測装置６０の計測値に基づいて回転軸３２を回転させて、羽根４２および羽根５２の開度を調整する。
具体的には、給気側の現在の風量が予め設定された風量よりも少ない場合には、羽根４２および羽根５２を開く方向に回転軸３２を回転させる。一方、給気側の現在の風量が予め設定された風量よりも多い場合には、羽根４２および羽根５２を閉じる方向に回転軸３２を回転させる。
【００２３】
また、風量調整レバー３４を手で操作することにより、第２羽根５３の開度を調整できる。
【００２４】
本実施形態によれば、以下のような効果がある。
（１）回転軸３２を回転させるだけで、羽根４２および羽根５２の開度を同時に調整できるので、簡易な構成で給気量および排気量を制御できる。簡易な構造であるので、故障の発生を低減できる。また、給気と排気とを一体に制御するので、空調システム１の制御に調整が少なくて済むから、円滑な制御が可能となる。
【００２５】
（２）制御装置７０により、給気側のケーシング４１内の風速に基づいて、給気側および排気側の両方の風量を制御するので、制御装置やケーブルなどの部品点数を削減でき、コストを低減できる。
【００２６】
（３）風量調整レバー３４を操作することで、第２羽根５３の開度を調整して、排気側に流れる空気量を予め調整しておくことができる。
【００２７】
なお、本発明は前記実施形態に限定されるものではなく、本発明の目的を達成できる範囲での変形、改良等は本発明に含まれるものである。
【符号の説明】
【００２８】
１…空調システム
２Ａ…対象室
２Ｂ…対象室
１０…給気ファン
１１…給気ダクト
２０…排気ファン
２１…排気ダクト
３０…風量調整装置
３１…連結部
３２、３３…回転軸
３４…風量調整レバー
４０…風量制御ダンパ
４１…ケーシング
４２…羽根（ダンパ羽根）
５０…風量調整ダンパ
５１…ケーシング
５２…羽根（ダンパ羽根）
５３…第２羽根（第２ダンパ羽根）
６０…計測装置（計測手段）
６１…オリフィス板
６２Ａ、６２Ｂ…導圧管
６３…検出器
７０…制御装置（制御手段）
【図１】
2012127567.tif 000003
【図２】
2012127567.tif 000004
【図３】
2012127567.tif 000005
【図４】
2012127567.tif 000006